(57)【要約】【課題】利用者の希望する内容が記載されているかどうかを簡単に確認することができる電子書籍およびその検索方法を提供すること。【解決手段】電子データからなる複数のコンテンツを有し、ブラウザ上にて、前記コンテンツの目次構成の項目を表示するとともに、前記目次構成の中から指示した項目に対応する前記コンテンツの内容を表示する電子書籍において、前記目次構成として、異なる観点から項目が作成された複数の目次構成を有し、それぞれの前記コンテンツには識別情報が付与され、複数の前記目次構成の項目には、それぞれの前記コンテンツ毎に付与された識別情報が関連づけられていることを特徴とする電子書籍。【選択図】　　　　図１
2004094578.tif 000002
【特許請求の範囲】
【請求項１】
電子データからなる複数のコンテンツを有し、ブラウザ上にて、前記コンテンツの目次構成の項目を表示するとともに、前記目次構成の中から指示した項目に対応する前記コンテンツの内容を表示する電子書籍において、前記目次構成として、異なる観点から項目が作成された複数の目次構成を有し、それぞれの前記コンテンツには識別情報が付与され、複数の前記目次構成の項目には、それぞれの前記コンテンツ毎に付与された識別情報が関連づけられていることを特徴とする電子書籍。
【請求項２】
前記コンテンツを表示するための本文定義ファイルと前記目次構成を表示するための目次定義ファイルとをＸＭＬで記述し、前記本文定義ファイル中に付与した前記識別情報を、前記目次定義ファイルに用いることを特徴とする請求項１に記載の電子書籍。
【請求項３】
前記コンテンツ毎にＩＤを付与してＸＭＬファイルを作成し、前記ＩＤを前記識別情報としたことを特徴とする請求項２に記載の電子書籍。
【発明の詳細な説明】
【０００１】
【発明の属する技術分野】
本発明はインターネットなどのネットワークを利用して書籍を検索したり販売する電子書籍に関する。
【０００２】
【従来の技術】
近年、コンピュータを利用した情報の送受信は目覚しく発展し、情報を蓄積管理するサーバにアクセスすることにより種々の情報を取得することが頻繁に行われている。この技術を利用して書籍を電子データで表現し、インターネットで検索したり、売買したりする電子書籍が実用化されている。たとえば、特開２０００−２８５１７４号には書籍や新聞雑誌などの文字コンテンツを通信ネットワークを利用して利用者に開示し、利用者は希望する文字コンテンツブロックを選択して購入する構成が記載されている。
【０００３】
【発明が解決しようとする課題】
この従来の電子書籍は、印刷、製本された紙製の書籍を単に電子データで表現したものであるので、書店で現物の書籍を手に取って所望の内容が記載されているか否かにより書籍を探す作業をパソコンなどで代行することができる。この場合、利用者の希望する内容が記載されているかどうかを確認するには目次や索引からたどっていくが、従来の電子書籍は印刷、製本された紙製の書籍をそのまま電子データで表現したものであるので目次は１種類しかない。したがって、所望の内容が記載されていそうな目次を選択してそれに対応する本文を確認する必要があり、所望の書籍であるか否かを判定するのに手間と時間がかかっている。
一方、電子書籍の検索にキーワードをいくつか入力して検索する方法もあるが、所望の書籍にたどり着くまで何度もキーワードを入力する必要があり、また、キーワードが適切でない場合には検索できないこともしばしばある。
【０００４】
本発明は、これらの課題を解決するもので、利用者の希望する内容が記載されているかどうかを簡単に確認することができる電子書籍およびその検索方法を提供することを目的とする。
【０００５】
【課題を解決するための手段】
請求項１に記載の本発明の電子書籍は、電子データからなる複数のコンテンツを有し、ブラウザ上にて、前記コンテンツの目次構成の項目を表示するとともに、前記目次構成の中から指示した項目に対応する前記コンテンツの内容を表示する電子書籍において、前記目次構成として、異なる観点から項目が作成された複数の目次構成を有し、それぞれの前記コンテンツには識別情報が付与され、複数の前記目次構成の項目には、それぞれの前記コンテンツ毎に付与された識別情報が関連づけられていることを特徴とする。
請求項２に記載の本発明は、請求項１に記載の電子書籍において、前記コンテンツを表示するための本文定義ファイルと前記目次構成を表示するための目次定義ファイルとをＸＭＬで記述し、前記本文定義ファイル中に付与した前記識別情報を、前記目次定義ファイルに用いることを特徴とする。
請求項３に記載の本発明は、請求項２に記載の電子書籍において、前記コンテンツ毎にＩＤを付与してＸＭＬファイルを作成し、前記ＩＤを前記識別情報としたことを特徴とする。
【０００６】
【発明の実施の形態】
本実施の形態による電子書籍は、目次構成として、異なる観点から項目が作成された複数の目次構成を有し、それぞれの前記コンテンツは、複数の前記目次構成の項目とのリンクデータを備えているので、それら複数の目次から検索したい内容を的確に抽出できそうな目次を選択して検索することができる。したがって、１つの書籍を異なる観点から多面的に検索することができ、所望の書籍であるか否かの判断やその内容の検索を短時間で確実に行うことができる。
【０００７】
【実施例】
（実施例１）
以下、本発明による電子書籍の実施例について、図面に基づいて説明する。
図１は本発明による電子書籍の基本構成を示す概念図である。電子書籍１０は印刷、製本された紙製の原書籍を電子データ化した書籍で、表紙、裏表紙および中表紙などの表紙部と、書籍名や著者、出版社名、発行年月日、価格などが記載されている奥付部と、本文に相当するコンテンツ１１、１２、１３と、目次構成Ａ２１、目次構成Ｂ２２、目次構成Ｃ２３とを備えている。
コンテンツ１１、１２、１３を表示するための本文定義ファイルは、ＸＭＬで記述され、コンテンツ１１には識別情報Ｘが、コンテンツ１２には識別情報Ｙが、コンテンツ１３には識別情報Ｚがそれぞれ付与されている。なお、コンテンツ１１、１２、１３毎にＩＤを付与して別のＸＭＬファイルとして作成し、このＩＤを識別情報としてもよい。
目次構成Ａ２１、目次構成Ｂ２２、目次構成Ｃ２３は、それぞれ異なる観点から作成された項目で構成されている。例えば、目次構成Ａ２１は、Ａ１、Ａ２、Ａ３という項目で構成され、目次構成Ｂ２２は、Ｂ１、Ｂ２、Ｂ３という項目で構成され、目次構成Ｃ２３は、Ｃ１、Ｃ２、Ｃ３という項目で構成されている。目次構成Ａ２１、目次構成Ｂ２２、目次構成Ｃ２３を表示するための目次定義ファイルはＸＭＬで記述され、それぞれの項目にはそれぞれの項目に対応させたコンテンツの識別情報が関連づけされている。例えば、目次構成Ａ２１の項目Ａ１には識別情報Ｘが、項目Ａ２には識別情報Ｙが、項目Ａ３には識別情報Ｚがそれぞれ付与されている。また、目次構成Ｂ２２の項目Ｂ１には識別情報Ｙが、項目Ｂ２には識別情報Ｚが、項目Ｂ３には識別情報Ｘがそれぞれ付与されている。従って、目次構成Ａ２１の項目Ａ１を指示した場合にはコンテンツ１１が、項目Ａ２を指示した場合にはコンテンツ１２が、項目Ａ３を指示した場合にはコンテンツ１３がそれぞれブラウザ上に表示されるが、目次構成Ｂ２２の項目Ｂ１を指示した場合にはコンテンツ１２が、項目Ｂ２を指示した場合にはコンテンツ１３が、項目Ｂ３を指示した場合にはコンテンツ１１がそれぞれブラウザ上に表示される。
一方、目次構成Ｃ２３に示すように、一つの項目Ｃ１に複数の識別情報Ｙ、Ｚが関連づけされていてもよい。目次構成Ｃ２３では、項目Ｃ１を指示した場合にはコンテンツ１２、１３が、項目Ｃ２を指示した場合にはコンテンツ１１がそれぞれブラウザ上に表示される。
【０００８】
なお、コンテンツ内容を目次構成とは別の観点から検索するものとして、例えば索引データを利用することもできるが、索引は本文の内容をキーワードから検索するものである。これに対し本発明における新たな目次構成Ｂ、Ｃは、キーワードではなく、本文の内容を原本における目次構成Ａとは別の観点で分類した項目で作成したものである。具体的な内容は本文の内容により千差万別であるが、たとえば料理のレシピ本であれば、目次構成Ｂは材料別の目次、目次構成Ｃは調理時間別の目次とする。なおその他の目次構成としてもてなしイベント別の目次や季節別料理目次を備えていてもよい。
【０００９】
つぎに、図２〜図４により目次構成の使用方法を説明する。図２は、原本における目次構成Ａを利用した場合のブラウザ画面の一例を示す。目次構成の選択は目次選択タブ３１をクリックして行う。たとえばタブＡをクリックすると、目次表示欄３２に目次構成Ａの項目が表示される。この目次構成Ａでたとえば項目「３　ｃｃｃｃ」３３をクリックすると、本文表示欄３５に項目「３　ｃｃｃｃ」３３に対応する本文が表示される。目次および本文の内容はそれぞれスクロールバー３４、３６のよりスクロール表示させることができる。
【００１０】
目次構成Ａでは所望の内容が見つからない場合は他の観点で作成された目次構成Ｂ、Ｃ、Ｄの中から所望の内容にふさわしい目次構成を選択する。たとえば、料理レシピにおいて、材料別のレシピを見たい場合は、図３に示すように目次選択タブ３１でタブＢをクリックすると、目次表示欄３２に目次構成Ｂによる材料別の目次が表示される。この目次でたとえば項目「２　肉」３３をクリックすると、本文表示欄３５に項目「２　肉」３３に対応する本文が表示される。目次および本文の内容はスクロールバー３４、３６により次々にスクロール表示させることができる。したがって、本文の内容を材料別に分類して検索することができる。
【００１１】
同様に、調理時間別のレシピを見たい場合には、図４に示すように目次選択タブ３１でタブＣをクリックすると、目次表示欄３２に目次構成Ｃによる調理時間別の目次が表示される。この目次でたとえば項目「１　１０分以内」３３をクリックすると、本文表示欄３５に項目「１　１０分以内」３３に対応する本文が表示される。目次および本文の内容はスクロールバー３４、３６により次々にスクロール表示させることができる。したがって、本文の内容を調理時間別に分類して検索することができる。
以下同様にして、目次選択タブ３１でタブＤをクリックすると、本文の内容を誕生日メニュー、ｚｚ記念日メニュー、ｘｘパーティメニューなどのもてなしイベント別に、タブＥをクリックすると本文の内容を季節別のように表示、検索することができる。
【００１２】
つぎに、本実施例における全体の処理の流れを簡単に説明する。まず、印刷され製本された書籍を電子データ化する。電子データはテキストデータ又はイメージデータで行われる。つぎに電子データ化された書籍から、既存の目次（図１における目次構成Ａに相当する）および書籍の内容を他の観点から分類する新たな目次（図１における目次構成Ｂ、目次構成Ｃ、及び目次構成Ｄに相当する）を所望の分類数だけ作成する。
つぎに、作成した新たな目次と本文との関連付けを行う。この作業は本文の内容を新たな目次に従って再構成、再分類するもので、新たな目次の作成とともに電子書籍を作成する基本作業である。この作業が終了すると新しい電子書籍が完成する。ここまでの作業は、電子書籍サービスを提供する側が行う。
利用者は、作成された電子書籍にインターネットによりアクセスすると、作成されたすべての目次のメニューが提示される。利用者は提示された目次のメニューを見て、自分が見たい内容に最も近いと思われる分類をしている目次を選択する。この選択は、図２〜図４で説明した目次選択タブ３１のクリックに相当する。
画面には、図２〜図４で説明したように、選択された目次の内容が表示されるので、表示させたい本文に対応する目次を選択する。この選択は図２〜図４で説明した目次のクリックに相当する。すると、その目次に対応する本文が表示されるのでその内容を確認し、所望の書籍であるか否かを判定することができる。所望の書籍であればダウンロードしたり、購入して終了する。内容が所望のものでない場合、および、他の目次で新たな書籍や内容を検索をしたい場合は同様の操作を繰り返す。
【００１３】
なお、インターネットのブラウザの種類によってはＸＭＬで記述されていない場合があるので、その場合に対処するために、新電子書籍を作成する場合にＸＭＬデータをＨＴＭＬデータに変換するプロセスを追加することが好ましい。
なお、本文の検索、表示において、複数の目次を使用して複数の条件を満たす書籍の検索を効率的に行うこともできる。たとえば、上述の料理レシピの検索において、１０分以内にできる誕生日パーティ用の肉料理のレシピを記載した書籍を見たい場合などである。この場合は、「目次構成Ｂから肉料理」、「目次構成Ｃから調理時間１０分以内」、「目次構成Ｄから誕生日パーティ」をそれぞれ選択し、これらの複数条件をすべて満足した書籍の目次が表示される。
なお、上記の各実施例では、料理のレシピ本を例に説明したが、本発明は家庭医学やスポーツ、ことわざ、酒類などの各種辞典、歴史資料、ハウツー本などジャンルや形態を問わず種々の異なった観点から検索したり読みたい書籍の検索、売買にも適用することができる。
そして検索操作は表示されるメニューをクリックするだけでよく、キーワードで文字を入力するなどなどの操作が不要であり、操作が非常に簡単である。
【００１４】
以上のように本実施例は、電子データからなる複数のコンテンツを有し、これらコンテンツの目次構成の項目を一方のブラウザ上にて表示するとともに、目次構成の中から指示した項目に対応するコンテンツの内容を他方のブラウザ上にて表示する。そして、一方のブラウザ上にて表示する目次構成は、異なる観点から項目が作成された複数の目次構成を有し、これら複数の目次構成は選択的に表示可能に構成されている。そして、それぞれのコンテンツは、例えばＩＤなどの識別情報によって区分されており、複数の目次構成の項目が指示されると、それぞれの目次項目に対応するコンテンツが他方のブラウザに表示されるように構成されている。すなわち、特定の目次構成の項目が指示されると、その項目に対応する識別情報によって、表示するコンテンツ内容を特定し、あらかじめ特定した表示場所にそのコンテンツ内容を表示させるものである。従って利用者は、異なる観点からあらかじめ作成した複数の目次構成を、目的に応じて使い分けることができ、またコンテンツ側の記述を変更することなく、異なる観点の目次構成を作成することができる。
【００１５】
【発明の効果】
以上のように本発明による電子書籍は、複数の目次を備えており、それら目次から検索したい内容を的確に抽出できそうな目次を選択して検索することができるので、所望の書籍であるか否か、およびその内容の検索を短時間で確実に行うことができる電子書籍を提供することができる。
また、キーワードによる文字入力も不要であり、操作が非常に簡単な書籍検索を行うことができる。
【図面の簡単な説明】
【図１】本発明による電子書籍の基本構成を示す概念図
【図２】本発明による電子書籍の原本における目次構成を表示させた場合のブラウザ画面の一例を示す概念図
【図３】本発明による電子書籍の新たに作成した目次構成を利用した場合のブラウザ画面の一例を示す概念図
【図４】本発明による電子書籍の新たに作成した他の種類の目次構成を利用した場合のブラウザ画面の一例を示す概念図
【符号の説明】
１１　電子書籍
１２　表紙部
１３　奥付部
１４　コンテンツ部分
１５　目次
１６　本文
１７　索引
２１、２２、２３、２４、２５　目次構成
３１　目次選択タブ
３２　目次表示欄
３３　クリック
３４、３６　スクロールバー
３５　本文表示欄
【図１】
2004094578.tif 000003
【図２】
2004094578.tif 000004
【図３】
2004094578.tif 000005
【図４】
2004094578.tif 000006